(57)【要約】【課題】近くに別の情報配信装置があっても干渉することのない情報配信装置、配信管理装置および配信情報受信装置を提供する。【解決手段】配信端末Ａ１００は、配信場所と配信情報を配信管理サーバ３００に登録する。配信管理サーバ３００は、配信場所の情報から周辺の配信状況を確認し、適切な無線チャネルを選択して配信端末Ａ１００に配信条件と情報ＩＤを通知する。配信端末Ａ１００は、取得した無線チャネルでアドホック配信情報の配信を開始する。受信端末Ｘ１０１は、アドホック配信情報を受信し、ユーザから詳細情報の入手要求があれば、配信管理サーバ３００に問い合わせを行い、配信管理サーバ３００は、関連付けられた登録情報を受信端末Ｘ１０１に返信する。受信端末Ｘ１０１は、登録情報を受信すると、登録情報を用いてＵＲＬに接続し、サーバＡ１０２から詳細情報を入手する。【選択図】図６
2009135647.tif 000002
【特許請求の範囲】
【請求項１】
第1の情報を近距離無線通信により周囲の受信装置へ配信する近距離無線通信部と、
前記第1の情報を配信する位置情報と、該第1の情報から導かれる第２の情報の場所を示すアドレス情報と、を配信管理装置へ送信する送信部と、
該送信部の送信に応答して前記配信管理装置から、識別子と、前記第1の情報を近距離無線通信により配信する無線チャネル情報と、を取得する取得部と、
該取得部により取得した識別子を前記第1の情報に含めて、当該第1の情報を前記取得した無線チャネルを使用して、前記近距離無線通信部により配信するように制御する制御部と、
を備える情報配信装置。
【請求項２】
周辺の無線状況を検出する検出部を備え、
前記送信部は、前記配信管理装置へ前記情報を送信する際に、前記検出部が検出した周辺の無線状況に関する情報も送信することを特徴とする請求項１に記載の情報配信装置。
【請求項３】
近距離無線通信により第1の情報を配信する情報配信装置の位置情報と、該第1の情報から導かれる第２の情報の場所を示すアドレス情報と、前記情報配信装置が使用する無線チャネルの情報と、を対応付けて登録する登録部と、
第1の情報を配信する位置情報と、該第1の情報から導かれる第２の情報の場所を示すアドレス情報と、を含む前記登録部への登録要求を情報配信装置から受信する受信部と、
前記受信部が前記要求を受信すると、前記登録部に登録されている情報に基づいて、前記受信した位置情報の位置で電波干渉しない無線チャネルを決定する決定部と、
前記決定部が無線チャネルを決定し、前記登録部が、受信した位置情報と、アドレス情報と、決定した無線チャネルと、を対応付けて登録すると、該登録部の登録に対応する識別子を割り当てる割当部と、
前記識別子と、決定した無線チャネルの情報を前記登録を要求した情報配信装置に送信する送信部と、
を備える配信管理装置。
【請求項４】
前記情報配信装置の周辺の無線状況に関する情報が含まれた前記登録部への登録要求を前記受信部が受信すると、
前記決定部は、前記登録部に登録されている情報および前記情報配信装置の周辺の無線状況に関する情報に基づいて、前記無線チャネルを決定することを特徴とする請求項３に記載の配信管理装置。
【請求項５】
前記情報配信装置から第１の情報を受信した配信情報受信装置から、前記識別子を用いて、前記第１の情報から導かれる第２の情報の場所を示すアドレス情報の問い合わせを受けると、前記識別子に対応する前記登録部の登録情報に基づいて、当該第２の情報の場所を示すアドレス情報を取得し、該取得したアドレス情報を前記配信情報受信装置へ送信するように制御する制御部を備えることを特徴とする請求項３または４に記載の配信管理装置。
【請求項６】
近距離無線通信により情報配信装置から第１の情報を受信する受信部と、
前記第１の情報から導かれる第２の情報へのアクセス要求を検出すると、前記受信部により受信した前記第１の情報に含まれる識別子を用いて、該第１の情報から導かれる第２の情報の場所を示すアドレス情報を配信管理装置へ問い合わせ、該アドレス情報を取得する取得部と、
該取得部により取得した前記アドレス情報を用いて前記第２の情報へアクセスするアクセス部と、
を備える配信情報受信装置。
【発明の詳細な説明】
【技術分野】
【０００１】
本発明は、近距離無線通信を利用して情報の配信を行う情報配信装置と、情報配信装置を管理する配信管理装置と、情報配信装置から近距離無線通信により配信情報を受信する配信情報受信装置に関する。
【背景技術】
【０００２】
近距離無線通信を利用した情報配信システムでは、配信情報にＵＲＬの情報が含まれており、配信情報について詳細な情報を入手したい場合には、配信情報を受信した端末において、受信端末のインターネットのアクセス機能を使ってＵＲＬに接続することになる。
【０００３】
図１は、近距離無線通信を利用した従来の情報配信システムを示す図である。受信端末Ｘ１０１は、配信端末Ａ１００のアドホック通信の圏内にあり、無線チャネル３を使用してアドホック通信により配信端末Ａ１００から配信情報を受信し、受信した配信情報にＵＲＬの情報があった場合は、セルラー通信によりインターネットに接続し、ＵＲＬで指定されたサーバＡ１０２に接続して情報を入手する。
【０００４】
受信端末Ｙ２０１も同様であり、受信端末Ｙ２０１は、配信端末Ｂ２００のアドホック通信の圏内にあり、無線チャネル３を使用してアドホック通信により配信端末Ｂ２００から配信情報を受信し、受信した配信情報にＵＲＬ等の情報があった場合は、セルラー通信によりインターネットに接続し、ＵＲＬで指定されたサーバＢ２０２に接続して情報を入手する。
【０００５】
なお、従来技術として近距離無線通信を用いる携帯端末への情報配信システムが提案されている（特許文献１参照）。
【特許文献１】特開２００２−３１２６７６号公報
【発明の開示】
【発明が解決しようとする課題】
【０００６】
しかしながら、従来の情報配信システムでは、配信端末（情報配信装置）が、自分で無線チャネル（配信条件）を設定して情報配信を行っていたので、近くに別の配信端末（情報配信装置）がある場合、使用している無線チャネルによっては電波状態の変化により干渉する場合がある。
【０００７】
図２は、電波状態の変化により干渉が生じる場合を説明する図である。図２に示すように、電波状態が良いため、配信端末Ａのアドホック通信圏と配信端末Ｂのアドホック通信圏が点線で示すように広がると、通信圏と重なり合い、配信端末Ａと配信端末Ｂが同じ無線チャネル３を使用してアドホック通信を行う場合には干渉を生じることがある。
【０００８】
本発明は、このような問題点に鑑みてなされたものであり、本発明の目的は、情報配信装置の近くに別の情報配信装置があっても干渉を生じることのない情報配信システムに用いられる情報配信装置、配信管理装置および配信情報受信装置を提供することにある。
【課題を解決するための手段】
【０００９】
上記目的を達成するため、本発明の情報配信装置は、第1の情報を近距離無線通信により周囲の受信装置へ配信する近距離無線通信部と、前記第1の情報を配信する位置情報と、該第1の情報から導かれる第２の情報の場所を示すアドレス情報と、を配信管理装置へ送信する送信部と、該送信部の送信に応答して前記配信管理装置から、識別子と、前記第1の情報を近距離無線通信により配信する無線チャネル情報と、を取得する取得部と、該取得部により取得した識別子を前記第1の情報に含めて、当該第1の情報を前記取得した無線チャネルを使用して、前記近距離無線通信部により配信するように制御する制御部とを備える。
【００１０】
本発明の情報配信装置は、周辺の無線状況を検出する検出部を備え、前記送信部が、前記配信管理装置へ前記情報を送信する際に、前記検出部が検出した周辺の無線状況に関する情報も送信することが好ましい。
【００１１】
また、本発明の配信管理装置は、近距離無線通信により第1の情報を配信する情報配信装置の位置情報と、該第1の情報から導かれる第２の情報の場所を示すアドレス情報と、前記情報配信装置が使用する無線チャネルの情報と、を対応付けて登録する登録部と、第1の情報を配信する位置情報と、該第1の情報から導かれる第２の情報の場所を示すアドレス情報と、を含む前記登録部への登録要求を情報配信装置から受信する受信部と、前記受信部が前記要求を受信すると、前記登録部に登録されている情報に基づいて、前記受信した位置で電波干渉しない無線チャネルを決定する決定部と、前記決定部が無線チャネルを決定し、前記登録部が、受信した位置情報と、アドレス情報と、決定した無線チャネルと、を対応付けて登録すると、該登録部の登録に対応する識別子を割り当てる割当部と、前記識別子と、決定した無線チャネルの情報を前記登録を要求した情報配信装置に送信する送信部とを備える。
【００１２】
本発明の配信管理装置は、前記情報配信装置の周辺の無線状況に関する情報が含まれた前記登録部への登録要求を前記受信部が受信すると、前記決定部が、前記登録部に登録されている情報および前記情報配信装置の周辺の無線状況に関する情報に基づいて、前記無線チャネルを決定することが好ましい。
【００１３】
また、本発明の配信管理装置は、前記情報配信装置から第１の情報を受信した配信情報受信装置から、前記識別子を用いて、前記第１の情報から導かれる第２の情報の場所を示すアドレス情報の問い合わせを受けると、前記識別子に対応する前記登録部の登録情報に基づいて、当該第２の情報の場所を示すアドレス情報を取得し、該取得したアドレス情報を前記配信情報受信装置へ送信するように制御する制御部を備えることが好ましい。
【００１４】
また、本発明の配信情報受信装置は、近距離無線通信により情報配信装置から第１の情報を受信する受信部と、前記第１の情報から導かれる第２の情報へのアクセス要求を検出すると、前記受信部により受信した前記第１の情報に含まれる識別子を用いて、該第１の情報から導かれる第２の情報の場所を示すアドレス情報を配信管理装置へ問い合わせ、該アドレス情報を取得する取得部と、該取得部により取得した前記アドレス情報を用いて前記第２の情報へアクセスするアクセス部とを備える。
【発明の効果】
【００１５】
本発明では、情報配信装置が、配信管理装置に配信場所と配信情報を登録すると、配信管理装置が、情報配信装置に他の情報配信装置と干渉しない無線チャネルを通知するので、情報配信装置は、通知された無線チャネルを使用して配信を行うことで他の情報配信装置との干渉を防ぐことが可能となる。
【発明を実施するための最良の形態】
【００１６】
本発明の実施の形態について図面を参照して説明する。図３は、本発明の情報配信システムに用いられる情報配信装置の一例を示すブロック図である。図３に示す情報配信装置（以下、配信端末という）１００は、移動可能な携帯端末であり、アドホック通信を行うアドホック通信部（近距離無線通信部）１１と、セルラー通信を行うセルラー通信部（送信部、取得部）１２と、ＧＰＳ（Global Positioning System）により端末の位置情報を取得する位置情報取得部１３と、周辺の無線チャネルの使用状況を検出する無線状況検出部（検出部）１４と、表示部１５と、入力部１６と、アドホック通信制御部１７を備え、アドホック通信制御部１７は、通信設定部１７１と、配信制御部（制御部）１７２を備える。ここで、アドホック通信とは、直接端末間で行う通信であり、セルラー通信とは、移動通信網を介して行う通信である。
【００１７】
アドホック通信部１１は、アドホック通信（近距離無線通信）により、アドホック配信情報（第1の情報）を周囲の受信端末へ配信する。
セルラー通信部１２は、アドホック配信情報を配信する位置情報と、アドホック配信情報から導かれる詳細情報（第２の情報）の場所を示すアドレス情報とをセルラー通信により配信管理サーバ（配信管理装置）へ送信し、配信管理サーバから、ＩＤ情報（識別子）と、アドホック配信情報をアドホック通信により配信する無線チャネル情報とを取得する。また、無線状況検出部１４が周辺の無線チャネルの使用状況を調査して、既に使用している無線チャネルがある場合は、位置情報とアドレス情報を送信する際に、無線状況検出部１４が検出した周辺の無線状況に関する情報も配信管理サーバへ送信する。
【００１８】
通信設定部１７１には、配信管理サーバから取得した無線チャネルが設定され、配信制御部１７２は、セルラー通信部１２により取得したＩＤ情報をアドホック配信情報に含めて、アドホック配信情報を、通信設定部１７１に設定した無線チャネルを使用して、アドホック通信部１１により配信するように制御する。
【００１９】
図４は、本発明の情報配信システムに用いられる配信管理装置の一例を示すブロック図である。図４に示す配信管理装置（以下、配信管理サーバという）３００は、ネットワークに接続して通信を行う通信部（受信部、送信部）３１と、登録部３２と、無線チャネル決定部（決定部）３３と、識別子割当部（割当部）３４と、通信制御部（制御部）３５を備える。
【００２０】
通信部３１は、アドホック配信情報を配信する位置情報と、アドホック配信情報から導かれる詳細情報の場所を示すアドレス情報とを含む登録部３２への登録要求を配信端末１００から受信し、識別子割当部３４で割り当てたＩＤ情報（識別子）と、無線チャネル決定部３３で決定した無線チャネルの情報を、登録を要求した配信端末１００に送信する。
また、登録部３２は、アドホック通信によりアドホック配信情報を配信する配信端末１００の位置情報と、アドホック配信情報から導かれる詳細情報の場所を示すアドレス情報と、配信端末１００が使用する無線チャネルの情報とを対応付けて登録する。
【００２１】
通信部３１が、登録部３２への登録要求を配信端末１００から受信すると、無線チャネル決定部３３は、登録部３２に登録されている情報に基づいて、受信した位置情報の位置で電波干渉しない無線チャネルを決定する。通信部３１が、配信端末１００の周辺の無線状況に関する情報が含まれた登録部３２への登録要求を受信すると、登録部３２に登録されている情報および配信端末１００の周辺の無線状況に関する情報に基づいて、受信した位置情報の位置で電波干渉しない無線チャネルを決定する。
識別子割当部３４は、無線チャネル決定部３３が無線チャネルを決定し、登録部３２が、受信した位置情報と、アドレス情報と、決定した無線チャネルとを対応付けて登録すると、登録部３２の登録に対応するＩＤ情報（識別子）を割り当てる。
アドホック配信情報を配信端末１００から受信した受信端末から、ＩＤ情報を用いて、アドホック配信情報から導かれる詳細情報の場所を示すアドレス情報の問い合わせを受けると、通信制御部３５は、ＩＤ情報に対応する登録部３２の登録情報に基づいて、詳細情報の場所を示すアドレス情報を登録部３２から取得し、取得したアドレス情報を受信端末へ送信するように制御する。
【００２２】
図５は、本発明の情報配信システムに用いられる配信情報受信装置の一例を示すブロック図である。図５に示す配信情報受信装置（以下、受信端末という）１０１は、移動可能な携帯端末であり、アドホック通信（近距離無線通信）を行うアドホック通信部（受信部）２１と、セルラー通信を行うセルラー通信部２２と、セルラー通信部２２を介してインターネットへの接続処理を行うＷｅｂ接続処理部（アクセス部）２３と、表示部２４と、入力部２５と、アドホック通信制御部２６を備え、アドホック通信制御部２６は、通信設定部２６１と、受信制御部（取得部）２６２を備える。
【００２３】
アドホック通信部２１は、アドホック通信（近距離無線通信）により、配信端末１００からアドホック配信情報を受信する。
受信制御部２６２は、入力部２５から、アドホック配信情報から導かれる詳細情報へのアクセス要求を検出すると、アドホック通信部２１で受信したアドホック配信情報に含まれるＩＤ情報（識別子）を用いて、アドホック配信情報から導かれる詳細情報の場所を示すアドレス情報を配信管理サーバ３００へ問い合わせ、アドレス情報を取得する。
Ｗｅｂ接続処理部２３は、受信制御部２６２により取得したアドレス情報を用いて、セルラー通信部２２を介して詳細情報へアクセスする。
【００２４】
次に、本発明に係る情報配信装置、配信管理装置および配信情報受信装置の動作の第１の実施例について説明する。図６は、配信端末と受信端末と配信管理サーバとの関係を示す図であり、図７および図８は、第１の実施例の動作について説明するシーケンス図である。
【００２５】
図７において、情報を配信する配信端末Ａ１００は、配信場所と配信情報４００をセルラー通信を介して配信管理サーバ３００に送信して、配信場所と配信情報４００を配信管理サーバ３００に登録する。送信する配信場所と配信情報４００に含まれる具体的な情報の例としては、配信情報である「ＵＲＬ」の情報と、配信場所である「地域」の情報である。
【００２６】
配信管理サーバ３００は、配信場所である「地域」情報からその地域周辺の配信状況（既に割り当てた無線チャネル）を確認し、適切な無線チャネル（干渉を起こさないチャネル）を選択して配信端末Ａ１００の「配信条件」を作成し、配信情報を識別する「情報ＩＤ」を割り当て、これらの情報４０１を配信端末Ａ１００に通知する。
【００２７】
ここで、図９は、配信管理サーバ３００の無線チャネル決定部３３が、適切な無線チャネルを選択するときの動作を説明するフローチャートである。無線チャネル決定部３３は、「地域」情報で指定する住所周辺に他の配信端末があるか否かを判定し（ステップＳ９１）、無い場合（Ｎｏの場合）は、設定可能な無線チャネルの中からチャネルを選択する（ステップＳ９２）。指定住所周辺で他の配信端末がある場合（Ｙｅｓの場合）は、設定可能な無線チャネルの中から干渉しにくいチャネルを選択する（ステップＳ９３）。
【００２８】
図７の説明に戻る。また、配信管理サーバ３００は、「ＵＲＬ」、「地域」、「配信条件」、「情報ＩＤ」からなる情報４０２を、配信端末Ａ１００の情報として配信端末ＤＢ（データベース）３０１に登録する。
【００２９】
配信端末Ａ１００は、情報４０１を受信すると、「配信条件」に含まれる無線チャネルを配信端末Ａ１００の通信設定部１７１に設定し、「情報ＩＤ」を含む配信情報（アドホック配信情報）４０３を作成してアドホック通信により配信を開始する。
【００３０】
図８に示すように、受信端末Ｘ１０１は、アドホック配信受信プログラムを起動させると、配信端末Ａ１００からの配信情報（アドホック配信情報）４０３を受信することが可能となる。配信情報４０３を受信した場合、配信情報４０３が予め受信指定された条件の情報ならユーザに受信通知を行う。受信端末Ｘ１０１のユーザにより、受信端末Ｘ１０１の入力部２５から詳細情報の入手要求があれば、セルラー通信により「情報ＩＤ」の問い合わせの情報５００を配信管理サーバ３００に送信する。
【００３１】
配信管理サーバ３００は、問い合わせの情報５００を受信すると、問い合わせの情報５００内に含まれている端末名が登録済みの端末名であって、「情報ＩＤ」に関連付けられた登録情報が存在していれば、関連付けられた登録情報５０１を受信端末Ｘ１０１に返信する。図８では、登録情報５０１は「ＵＲＬ」情報である。
【００３２】
受信端末Ｘ１０１は、登録情報５０１を受信すると、セルラー通信により、登録情報５０１の「ＵＲＬ」情報を用いてサーバＡ１０２に接続（アクセス）し、サーバＡ１０２から詳細情報を入手する。
【００３３】
図１０は、受信端末Ｘ１０１の表示部２４に表示されるアドホック配信情報（第1の情報）と詳細情報（第２の情報）の画面の例を示す図である。図１０（ａ）の画面を表示している受信端末Ｘ１０１は、受信端末Ｘ１０１のユーザにより、受信端末Ｘ１０１の入力部２５から、アドホック配信情報の画面中の「接続」のボタンを選択して詳細情報の入手要求があれば、問い合わせの情報５００を配信管理サーバ３００に送信する。そして、配信管理サーバ３００から取得した「ＵＲＬ」情報を用いてサーバＡ１０２に接続し、サーバＡ１０２から詳細情報（第２の情報）を入手して、図１０（ｂ）に示すように、その詳細情報を表示部２４に表示する。
【００３４】
次に、本発明に係る情報配信装置、配信管理装置および配信情報受信装置の動作の第２の実施例について説明する。図１１は、配信端末と受信端末と配信管理サーバとの関係を示す図であり、図１２は、第２の実施例の動作について説明するシーケンス図である。図１１および図１２は、配信端末Ａ１００がこれからアドホック配信情報を配信しようとするときに、既に配信端末Ｂ２００が配信中で、かつ、公衆無線ＬＡＮアクセスポイント７００が周辺で稼働している場合の例である。
【００３５】
情報を配信する配信端末Ａ１００は、配信端末Ａ１００の無線状況検出部１４で、周辺の無線チャネルの使用状況を調査し、配信場所と配信情報６００をセルラー通信を介して配信管理サーバ３００に送信して、配信場所と配信情報６００を配信管理サーバ３００に登録する。配信場所と配信情報６００を送信するときは、具体的には「ＵＲＬ」と「地域」と配信端末Ａ１００が調査して得た「使用可能な無線チャネル」の情報が送信される。なお、「使用不可能な無線チャネル」が送信されても良い。
【００３６】
配信管理サーバ３００は、受信した情報に含まれる「地域」の情報からその地域周辺の配信状況（既に割り当てた無線チャネル）を確認し、受信した情報に含まれる「使用可能な無線チャネル」の情報を考慮して適切な無線チャネル（干渉を起こさない無線チャネル）を選択して配信端末Ａ１００の「配信条件」を作成し、配信情報を識別する「情報ＩＤ」を割り当て、その情報６０１を配信端末Ａ１００に通知する。
【００３７】
図１３は、配信管理サーバ３００の無線チャネル決定部３３が、適切な無線チャネルを選択するときの動作を説明するフローチャートである。無線チャネル決定部３３は、「地域」情報で指定する住所周辺に他の配信端末があるか否かを判定し（ステップＳ１３１）、無い場合（Ｎｏの場合）は、受信した「使用可能な無線チャネル」の中からチャネルを選択する（ステップＳ１３２）。指定住所周辺で他の配信端末がある場合（Ｙｅｓの場合）は、受信した「使用可能な無線チャネル」の中から指定住所周辺で配信中のチャネルを除いて、干渉しにくいチャネルを選択する（ステップＳ１３３）。
また、受信した情報が「使用不可能な無線チャネル」を示す情報の場合、使用不可能な無線チャネルを除く無線ちゃんルの中で、指定住所周辺で既に割り当てた無線チャネルをさらに除いた無線チャネルの中から干渉しにくに無線チャネルを選択する。
【００３８】
以降の動作は、第１の実施例の動作と同様であり、図８に示すシーケンスの動作を行う。
【００３９】
なお、上述した実施の形態において、配信端末は、移動可能な携帯端末としたが、固定設置された端末でもよい。その場合、配信端末のセルラー通信部１２は、有線／無線の通信部として構成しても良い。
【図面の簡単な説明】
【００４０】
【図１】近距離無線通信を利用した従来の情報配信システムを示す図である。
【図２】電波状態の変化により干渉が生じる場合を説明する図である。
【図３】本発明に係る情報配信装置（配信端末）の一例を示すブロック図である。
【図４】本発明に係る配信管理装置（配信管理サーバ）の一例を示すブロック図である。
【図５】本発明に係る配信情報受信装置（受信端末）の一例を示すブロック図である。
【図６】配信端末と受信端末と配信管理サーバとの関係を示す図である。
【図７】第１の実施例の動作について説明するシーケンス図である。
【図８】第１の実施例の動作について説明するシーケンス図である。
【図９】第１の実施例において適切な無線チャネルを選択するときの動作を説明するフローチャートである。
【図１０】受信端末の表示部に表示されるアドホック配信情報と詳細情報の画面の例を示す図である。
【図１１】配信端末と受信端末と配信管理サーバとの関係を示す図である。
【図１２】第２の実施例の動作について説明するシーケンス図である。
【図１３】第２の実施例において適切な無線チャネルを選択するときの動作を説明するフローチャートである。
【符号の説明】
【００４１】
１１，２１  アドホック通信部
１２，２２  セルラー通信部
１３  位置情報取得部
１４  無線状況検出部
１５，２４  表示部
１６，２５  入力部
１７，２６  アドホック通信制御部
２３  Ｗｅｂ接続処理部
３１  通信部
３２  登録部
３３  無線チャネル決定部
３４  識別子割当部
３５  通信制御部
１００，２００  配信端末
１０１，２０１  受信端末
１０２  サーバＡ
１７１，２６１  通信設定部
１７２  配信制御部
２６２  受信制御部
３００  配信管理サーバ
３０１  配信端末ＤＢ
４００〜４０３，５００，５０１，６００，６０１  情報
【図１】
2009135647.tif 000003
【図２】
2009135647.tif 000004
【図３】
2009135647.tif 000005
【図４】
2009135647.tif 000006
【図５】
2009135647.tif 000007
【図６】
2009135647.tif 000008
【図７】
2009135647.tif 000009
【図８】
2009135647.tif 000010
【図９】
2009135647.tif 000011
【図１０】
2009135647.tif 000012
【図１１】
2009135647.tif 000013
【図１２】
2009135647.tif 000014
【図１３】
2009135647.tif 000015